(57)【要約】【課題】放射線画像検出器の回転動作によって発生するモーションブラーに起因するボケを適切に補正する。【解決手段】放射線画像検出器の特性に起因する検出器ＭＴＦ特性を取得するとともに、放射線画像検出器を所定の測定用被写体の周りを周回させて取得した測定用放射線画像信号に基づく全ＭＴＦ特性を取得し、検出器ＭＴＦ特性と全ＭＴＦ特性とに基づいて、放射線画像検出器の回転動作に起因する回転動作ＭＴＦ特性を取得し、その回転動作ＭＴＦ特性に基づいて放射線画像信号に対してボケ補正を施す。【選択図】図３
2011194010.tif 000002
【特許請求の範囲】
【請求項１】
被写体を透過した放射線の照射を受けて電荷を発生し、前記被写体の放射線画像を表す放射線画像信号を出力する放射線画像検出器を前記被写体の周りを周回させることによって、所定の回転角度毎の前記放射線画像信号を取得する放射線画像撮影方法において、
前記放射線画像検出器の特性に起因する検出器ＭＴＦ特性を取得するとともに、前記放射線画像検出器を所定の測定用被写体の周りを周回させて取得した測定用放射線画像信号に基づく全ＭＴＦ特性を取得し、
前記検出器ＭＴＦ特性と前記全ＭＴＦ特性とに基づいて、前記放射線画像検出器の回転動作に起因する回転動作ＭＴＦ特性を取得し、
前記回転動作ＭＴＦ特性に基づいて、前記放射線画像信号に対してボケ補正を施すことを特徴とする放射線画像撮影方法。
【請求項２】
被写体を透過した放射線の照射を受けて電荷を発生し、前記被写体の放射線画像を表す放射線画像信号を出力する放射線画像検出器と、前記放射線画像検出器を前記被写体の周りを周回させる回転駆動部と、所定の回転角度毎の前記放射線画像信号を取得する撮影部とを備えた放射線画像撮影装置において、
前記放射線画像検出器の特性に起因する検出器ＭＴＦ特性と、前記放射線画像検出器を所定の測定用被写体の周りを周回させて取得した測定用放射線画像信号を用いて取得された全ＭＴＦ特性とから取得された、前記放射線画像検出器の回転動作に起因する回転動作ＭＴＦ特性に基づいて、前記放射線画像信号に対してボケ補正を施すボケ補正部とを備えたことを特徴とする放射線画像撮影装置。
【請求項３】
前記ボケ補正部が、前記検出器ＭＴＦ特性と、前記放射線画像検出器の複数の回転速度に応じた複数の前記全ＭＴＦ特性とからそれぞれ取得された複数の前記回転動作ＭＴＦ特性のうち、前記放射線画像信号を取得する際の前記放射線画像検出器の回転速度に対応する回転動作ＭＴＦ特性に基づいて、前記放射線画像信号に対してボケ補正を施すものであることを特徴とする放射線画像撮影装置。
【請求項４】
前記ボケ補正の施された回転角度毎の放射線画像信号に基づいて、放射線断層画像を再構成する再構成部をさらに備えたことを特徴とする請求項２または３記載の放射線画像撮影装置。
【発明の詳細な説明】
【技術分野】
【０００１】
本発明は、放射線画像検出器を被写体の周りを周回させることによって、所定の回転角度毎の放射線画像信号を取得する放射線画像撮影方法および装置に関するものである。
【背景技術】
【０００２】
従来、放射線源と放射線画像検出器とを被験者を中心として対向させて配置し、これらの組を被験者を中心として周回させて、様々な角度から放射線を照射して放射線画像を撮像し、その各角度の放射線画像を用いて断層画像を再構成して任意断面を表示する放射線ＣＴ画像撮影システムが臨床で広く利用されている。
【０００３】
ここで、上記のような放射線ＣＴ画像撮影システムにおいては、より画質のよい放射線ＣＴ画像を取得するために角度分解能をあげることが望まれるが、角度分可能をあげると撮影枚数の増加につながるため、患者の拘束時間、息止め時間などによって現実的に制約された撮影時間内で撮影するためにはより高速に撮影する必要がある。
【０００４】
また、厚い被写体を撮影する場合など高線量で撮影を行う際には、被写体のボケを少なくするため、放射線源の管電流を大きくし、曝射時間を短くして高速に撮影を行う必要がある。
【先行技術文献】
【特許文献】
【０００５】
【特許文献１】特開２００４−１２１７０６号公報
【特許文献２】特開２００２−２９１７２６号公報
【発明の概要】
【発明が解決しようとする課題】
【０００６】
そして、上述したような高速撮影を行うためには、放射線源と放射線画像検出器を高速回転させ、短期間に放射線の曝射および放射線画像信号の読出しを行う必要があるが、放射線画像検出器を高速に回転させるとモーションブラーが生じ、これにより各回転角度について撮影された放射線画像にボケが発生してしまう問題がある。
【０００７】
特許文献１には、ボケ補正フィルタを用いて検出器列方法のＸ線ボケを補正する方法が提案されているが、上述したようなモーションブラーに起因するボケの補正については何も提案されていない。
【０００８】
また、特許文献２には、コーンビームＣＴ撮影装置において、検出器の回転によるぶれ量を検出し、そのぶれ量に基づいて撮影画像をシフトして静止時と同じ座標系に補正することによって、各撮影角度の撮影画像の中心を一致させる方法が提案されているが、上述したようなモーションブラーに起因するボケの補正については何も提案されていない。
【０００９】
さらに、上記のような放射線ＣＴ画像撮影システムにおいては、たとえば、撮影部位や撮影目的によって放射線源および放射線画像検出器の回転速度を変更する場合がある。具体的には、たとえば、撮影部位が胸部である場合には、心臓の動きがアーチファクトになるので、頭部や下肢などと比較して高速に設定される。健康診断や精密検査など撮影目的に応じて、低速に設定されたり、高速に設定されたりする。
【００１０】
そして、このような種々の回転速度に対して、それぞれの回転速度に応じたボケ補正を施す必要がある。
【００１１】
本発明は、上記の事情に鑑み、放射線画像検出器の回転動作によって発生するモーションブラーに起因するボケを適切に補正することができる放射線画像撮影方法および装置を提供することを目的とする。
【課題を解決するための手段】
【００１２】
本発明の放射線画像撮影方法は、被写体を透過した放射線の照射を受けて電荷を発生し、被写体の放射線画像を表す放射線画像信号を出力する放射線画像検出器を被写体の周りを周回させることによって、所定の回転角度毎の放射線画像信号を取得する放射線画像撮影方法において、放射線画像検出器の特性に起因する検出器ＭＴＦ特性を取得するとともに、放射線画像検出器を所定の測定用被写体の周りを周回させて取得した測定用放射線画像信号に基づく全ＭＴＦ特性を取得し、検出器ＭＴＦ特性と全ＭＴＦ特性とに基づいて、放射線画像検出器の回転動作に起因する回転動作ＭＴＦ特性を取得し、回転動作ＭＴＦ特性に基づいて、放射線画像信号に対してボケ補正を施すことを特徴とする。
【００１３】
本発明の放射線画像撮影装置は、被写体を透過した放射線の照射を受けて電荷を発生し、被写体の放射線画像を表す放射線画像信号を出力する放射線画像検出器と、放射線画像検出器を被写体の周りを周回させる回転駆動部と、所定の回転角度毎の放射線画像信号を取得する撮影部とを備えた放射線画像撮影装置において、放射線画像検出器の特性に起因する検出器ＭＴＦ特性と、放射線画像検出器を所定の測定用被写体の周りを周回させて取得した測定用放射線画像信号を用いて取得された全ＭＴＦ特性とから取得された、放射線画像検出器の回転動作に起因する回転動作ＭＴＦ特性に基づいて、放射線画像信号に対してボケ補正を施すボケ補正部とを備えたことを特徴とする。
【００１４】
また、上記本発明の放射線画像撮影装置においては、ボケ補正部を、検出器ＭＴＦ特性と、放射線画像検出器の複数の回転速度に応じた複数の全ＭＴＦ特性とからそれぞれ取得された複数の回転動作ＭＴＦ特性のうち、放射線画像信号を取得する際の放射線画像検出器の回転速度に対応する回転動作ＭＴＦ特性に基づいて、放射線画像信号に対してボケ補正を施すものとすることができる。
【００１５】
また、ボケ補正の施された回転角度毎の放射線画像信号に基づいて、放射線断層画像を再構成する再構成部をさらに設けることができる。
【発明の効果】
【００１６】
本発明の放射線画像撮影方法および装置によれば、放射線画像検出器の特性に起因する検出器ＭＴＦ特性を取得するとともに、放射線画像検出器を所定の測定用被写体の周りを周回させて取得した測定用放射線画像信号に基づく全ＭＴＦ特性を取得し、検出器ＭＴＦ特性と全ＭＴＦ特性とに基づいて、放射線画像検出器の回転動作に起因する回転動作ＭＴＦ特性を取得し、回転動作ＭＴＦ特性に基づいて、放射線画像信号に対してボケ補正を施すようにしたので、放射線画像検出器の回転動作によって発生するモーションブラーに起因するボケを適切に補正することができる。
【００１７】
また、上記本発明の放射線画像撮影装置において、複数の回転速度に応じた複数の全ＭＴＦ特性に基づいて複数の回転動作ＭＴＦ特性を予め取得し、放射線画像信号を取得する際の放射線画像検出器の回転速度に対応する回転動作ＭＴＦ特性に基づいて、放射線画像信号に対してボケ補正を施すようにした場合には、回転速度が種々変更した場合においても、それぞれの回転速度に応じた適切なボケ補正を施すことができる。
【図面の簡単な説明】
【００１８】
【図１】本発明の放射線画像撮影装置の一実施形態を用いた放射線ＣＴ画像撮影システムの概略構成図
【図２】本発明の放射線画像撮影装置の一実施形態を用いた放射線ＣＴ画像撮影システムにおける放射線検出部とコンピュータの内部構成を示すブロック図
【図３】回転動作ＭＴＦ特性を取得する方法を説明するためのフローチャート
【図４】基本回転速度Ｖ１〜Ｖｎおよび所定の回転角度θ１〜θｍ毎について取得された全ＭＴＦ特性ＭＴＦ_ａｌｌ（Ｖ１，θ１）〜ＭＴＦ_ａｌｌ（Ｖｎ，θｍ）および回転動作ＭＴＦ特性ＭＴＦ_ｍ（Ｖ１，θ１）〜ＭＴＦ_ｍ（Ｖｎ，θｍ）を示す表
【図５】所定の回転速度で取得された放射線画像信号に対してボケ補正を施す方法を説明するためのフローチャート
【発明を実施するための形態】
【００１９】
以下、図面を参照して本発明の放射線画像撮影装置の一実施形態を用いた放射線ＣＴ画像撮影システムについて説明する。まず、本放射線ＣＴ画像撮影システム全体の概略構成について説明する。図１は、本放射線ＣＴ画像撮影システムの概略構成を示す図である。
【００２０】
本放射線ＣＴ画像撮影システムは、図１に示すように、被験者Ｐの放射線画像の撮影を行なう撮影装置１と、被験者Ｐを支持するための支持台であるベッド２２と、撮影装置１に接続され、撮影装置１の制御を行うとともに、撮影により得られた放射線画像信号の処理を行うコンピュータ３０と、このコンピュータ３０に接続されたモニタ３１とを備えている。
【００２１】
撮影装置１は、円錐状の放射線を射出する放射線源１０、放射線源１０から射出された放射線を検出する放射線検出部１１、放射線源１０および放射線検出部１１が端部にそれぞれ対向して設けられ、これらを保持するＣアーム１２と、このＣアーム１２を回転させる回転駆動部１５と、回転駆動部１５を保持するアーム２０と備えている。
【００２２】
Ｃアーム１２は、回転駆動部１５に対して、回転軸Ｃの周りに３６０°回転可能に取り付けられている。また、アーム２０は可動部２０ａを備えるとともに、天井に対して移動可能に設置された基部２１に保持されている。そして、Ｃアーム１２は、基部２１を移動させることによって撮影室内において広範の位置に移動可能であるとともに、アーム２０の可動部２０ａを可動させることによって回転方向（回転軸角度）も変更可能に構成されている。
【００２３】
放射線源１０と放射線検出部１１とは回転軸Ｃを間に挟んで対向配置されており、放射線ＣＴ画像撮影を行うときには、回転軸Ｃ、放射線源１０、放射線検出部１１の互いの位置関係は固定された状態で、Ｃアーム１２が回転駆動部１５によって３６０°回転させられる。
【００２４】
図２に、放射線検出部１１とコンピュータ３０の内部の概略構成を示すブロック図を示す。
【００２５】
放射線検出部１１は、図２に示すように、被験者Ｐを透過した放射線の照射を受けて電荷を発生し、被験者Ｐの放射線画像を表す放射線画像信号を出力する放射線画像検出器１１ａと、放射線画像検出器１１ａから出力された放射線画像信号に対して所定の信号処理を施す信号処理部１１ｂとを備えている。
【００２６】
放射線画像検出器１１ａは、放射線画像の記録と読出しを繰り返して行うことができるものであり、放射線の照射を直接受けて電荷を発生する、いわゆる直接型の放射線画像検出器を用いてもよいし、放射線を一旦可視光に変換し、その可視光を電荷信号に変換する、いわゆる間接型の放射線画像検出器を用いるようにしてもよい。また、放射線画像信号の読出方式としては、ＴＦＴ（thin film transistor）スイッチをオン・オフされることによって放射線画像信号が読みだされる、いわゆるＴＦＴ読出方式のものを用いてもよいし、読取光により走査されることによって放射線画像信号が読みだされる、いわゆる光読出方式のものを用いるようにしてもよい。
【００２７】
信号処理部１１ｂは、放射線画像検出器１１ａから読み出された電荷信号を電圧信号に変換するチャージアンプなどからなるアンプ部や、アンプ部から出力された電圧信号をデジタル信号に変換するＡＤ変換部などを備えている。
【００２８】
コンピュータ３０は、中央処理装置（ＣＰＵ）および半導体メモリやハードディスクやＳＳＤ等のストレージデバイスなどを備えており、これらのハードウェアによって、ボケ補正部３０ａ、再構成部３０ｂ、表示信号生成部３０ｃ、ＭＴＦ特性取得部３０ｄ、および撮影制御部３０ｅが構成されている。
【００２９】
ボケ補正部３０ａは、信号処理部１１ｂから出力された被験者Ｐの放射線画像を表す放射線画像信号に対し、ＭＴＦ特性取得部３０ｄにおいて取得された回転動作ＭＴＦ特性に基づいてボケ補正を施すものである。ボケ補正の方法については後で詳述する。
【００３０】
再構成部３０ｂは、ボケ補正部３０ａにおいてボケ補正の施された各撮影角度の放射線画像信号に基づいて、放射線ＣＴ画像信号を再構成するものである。
【００３１】
表示信号生成部３０ｃは、再構成部３０ｂから出力された放射線ＣＴ画像信号に基づいて表示制御信号を生成し、その表示制御信号をモニタ３１に出力するものである。
【００３２】
ＭＴＦ特性取得部３０ｄは、放射線画像検出器１１ａの特性に起因する検出器ＭＴＦ特性ＭＴＦ_ｐを取得するとともに、放射線源１０と放射線画像検出器１１ａとを所定の測定用被写体の周りを周回させて取得した測定用放射線画像信号に基づいて全ＭＴＦ特性ＭＴＦ_ａｌｌを取得し、検出器ＭＴＦ特性ＭＴＦ_ｐと全ＭＴＦ特性ＭＴＦ_ａｌｌとに基づいて、放射線源１０と放射線画像検出器１１ａとの回転動作に起因する回転動作ＭＴＦ特性ＭＴＦ_ｍを取得するものである。上述した種々のＭＴＦ特性の測定方法の詳細については、後で詳述する。
【００３３】
撮影制御部３０ｅは、回転駆動部１５によるＣアーム１２の回転の速度と、放射線源１０から射出される放射線の照射タイミングとを駆動制御するものである。
【００３４】
次に、本放射線ＣＴ画像撮影システムの作用について説明する。本放射線ＣＴ画像撮影システムは、ＭＴＦ特性取得部３０ｄにおいて取得された回転動作ＭＴＦ特性に基づいて、被験者Ｐを表す放射線画像信号に対してボケ補正を施すものであるが、まずは、その回転動作ＭＴＦ特性の取得方法について、図３に示すフローチャートを参照しながら説明する。
【００３５】
まず、放射線画像検出器１１ａの特性に起因する検出器ＭＴＦ特性ＭＴＦ_ｐを取得する。検出器ＭＴＦ特性ＭＴＦ_ｐについては、放射線画像検出器１１ａと放射線源１０とが、垂直方向に対向して配置された状態でＣアーム１２を固定し、ＭＴＦ測定用の被写体の静止画を撮影することによって取得される。
【００３６】
具体的には、本実施形態においては、ＭＴＦ測定用の治具としてタングステン板を使用し、そのタングステン板のエッジ像を撮影することによって、いわゆるエッジ法によってＭＴＦ特性を取得する。
【００３７】
まず、タングステン板をベッド２２上に配置する。具体的には、タングステン板の撮影対象のエッジの中心と放射線源１０から射出される放射線の光軸と一致させ、上記エッジを１．５°〜３°程度傾けた状態で設置する（Ｓ１０）。
【００３８】
そして、上述したように放射線画像検出器１１ａと放射線源１０とが、垂直方向に対向して配置された状態でＣアーム１２を固定し、放射線源１０から所定の線量の放射線を射出させ、タングステン板のエッジ像の静止画像を撮影する（Ｓ１２）。なお、エッジ像の撮影は、互いに直交する２方向について行われる。
【００３９】
そして、タングステン板のエッジ像を表す放射線画像信号が放射線画像検出器１１ａから読み出され、信号処理部１１ｂで所定の処理が施された後、ＭＴＦ特性取得部３０ｄによって取得される。そして、ＭＴＦ特性取得部３０ｄは、入力されたエッジ像の放射線画像信号に基づいてESF(Edge Spread Function)を取得し、そのESFを微分してLSF(Line Spread Function)を取得し、そのLSFをフーリエ変換して検出器ＭＴＦ特性ＭＴＦ_ｐを取得する（Ｓ１４）。なお、エッジ法については、既に公知な技術であるのでESFやLSFなどの演算方法については説明を省略する。
【００４０】
次に、放射線画像検出器１１ａの特性と、放射線画像検出器１１ａおよび放射線源１０の回転動作との両方に起因する全ＭＴＦ特性ＭＴＦ_ａｌｌを取得する。
【００４１】
具体的には、まず、検出器ＭＴＦ特性ＭＴＦ_ｐを取得したときと同様に、ＭＴＦ測定用の治具であるタングステン板をベッド２２上に配置する。
【００４２】
そして、回転駆動部１５が、予め設定された基本回転速度Ｖ１によってＣアーム１２を回転させ（Ｓ１６）、実際に被験者Ｐを撮影するときと同様に、所定の回転角度（θ）毎についてタングステン板のエッジ像を撮影する（Ｓ１８）。なお、このときタングステン板のエッジ像が見えない方向、すなわち、タングステン板の側面（真横）方向からの撮影は行わないものとする。また、タングステン板の厚さは、各回転角度においてエッジ像が撮影でき、全ＭＴＦ_ａｌｌが適切に演算できる程度の厚さに設定されているものとする。また、本実施形態のようにＭＴＦ測定用の治具としてタングステン板を用いるのではなく、Ｃアーム１２の回転軸方向に延びるワイヤーをＭＴＦ測定用の治具として用いるようにしてもよい。
【００４３】
そして、タングステン板のエッジ像を表す放射線画像信号は放射線画像検出器１１ａから読み出され、信号処理部１１ｂで所定の処理が施された後、ＭＴＦ特性取得部３０ｄによって取得される。
【００４４】
そして、ＭＴＦ特性取得部３０ｄは、所定の回転角度（θ）毎のエッジ像の放射線画像信号に基づいて、上記と同様にして所定の回転角度毎の全ＭＴＦ特性ＭＴＦ_ａｌｌ（Ｖ１，θ１）〜ＭＴＦ_ａｌｌ（Ｖ１，θｍ）を取得する（Ｓ２０）。
【００４５】
そして、本実施形態においては、全ＭＴＦ特性ＭＴＦ_ａｌｌを取得するための基本回転速度が予め複数設定されており、Ｃアーム１２の回転速度がこの複数の基本回転速度Ｖ１〜Ｖｎに順次変更される。そして、それぞれの基本回転速度毎について、上記と同様にして所定の回転角度毎のタングステン板のエッジ像を表す放射線画像信号が取得され、その放射線画像信号に基づいて全ＭＴＦ特性ＭＴＦ_ａｌｌ（Ｖ１，θ１）〜ＭＴＦ_ａｌｌ（Ｖｎ，θｍ）が取得される（Ｓ２２，Ｓ２６）。図４に、基本回転速度Ｖ１〜Ｖｎおよび所定の回転角度θ１〜θｍ毎について取得された全ＭＴＦ特性ＭＴＦ_ａｌｌ（Ｖ１，θ１）〜ＭＴＦ_ａｌｌ（Ｖｎ，θｍ）を示す。
【００４６】
そして、ＭＴＦ特性取得部３０ｄによって全ＭＴＦ特性ＭＴＦ_ａｌｌ（Ｖ１，θ１）〜ＭＴＦ_ａｌｌ（Ｖｎ，θｍ）が取得されると、ＭＴＦ特性取得部３０ｄは、全ＭＴＦ特性ＭＴＦ_ａｌｌ（Ｖ１，θ１）〜ＭＴＦ_ａｌｌ（Ｖｎ，θｍ）のそれぞれと検出器ＭＴＦ特性ＭＴＦ_ｐとに基づいて、下式により回転動作ＭＴＦ特性ＭＴＦ_ｍを取得する（Ｓ２６）。
ＭＴＦ_ｍ = ＭＴＦ_ａｌｌ / ＭＴＦ_ｐ
図４に、基本回転速度Ｖ１〜Ｖｎおよび所定の回転角度θ１〜θｍ毎について取得された回転動作ＭＴＦ特性ＭＴＦ_ｍ（Ｖ１，θ１）〜ＭＴＦ_ｍ（Ｖｎ，θｍ）を示す。
【００４７】
以上が、回転動作ＭＴＦ特性の取得方法についての説明である。
【００４８】
そして、ＭＴＦ特性取得部３０ｄは、上述したように取得された回転動作ＭＴＦ特性ＭＴＦ_ｍ（Ｖ１，θ１）〜ＭＴＦ_ｍ（Ｖｎ，θｍ）をボケ補正部３０ａに出力する。
【００４９】
次に、実際に被験者Ｐを設置して放射線画像の撮影を行い、その撮影した放射線画像信号に対して、回転動作ＭＴＦ特性に基づいてボケ補正を施し、そのボケ補正を施した放射線画像信号に基づいて断層画像を再構成する方法について、図５に示すフローチャートを参照しながら説明する。
【００５０】
まず、被験者Ｐをベッド２２上に横たわらせ、被験者Ｐの体の略中心を回転軸Ｃとして、この回転軸Ｃを挟んで放射線源１０と放射線検出部１１とが対称位置に配されるようにＣアーム１２の位置決めが行なわれる。Ｃアーム１２の移動は、撮影者によるコンピュータ３０の操作に基づいて行なわれる。
【００５１】
そして、コンピュータ３０において撮影者によって撮影開始指示が入力されると、撮影制御部３０ｅは、予め設定入力された放射線の照射線量の条件を取得し、その照射線量の条件に応じた制御信号を放射線源１０に出力するとともに、予め設定入力されたＣアーム１２の回転速度ｖに応じた制御信号をＣアーム１２を駆動する回転駆動部１５に出力する。そして、これらの制御信号に基づいて放射線源１０と回転駆動部１５が駆動制御されて被験者Ｐの放射線画像の撮影が行なわれる（Ｓ３０）。
【００５２】
ここで、撮影者によって設定入力される回転速度としては、たとえば、撮影部位が胸部である場合には、心臓の動きがアーチファクトになるので、頭部や下肢などと比較して高速に設定される。すなわち、回転速度は撮影部位に応じて設定されるものである。また、回転速度は、健康診断や精密検査など撮影目的に応じて、低速に設定されたり、高速に設定されたりするものである。
【００５３】
そして、入力された制御信号に基づいて回転駆動部１５によってＣアーム１２が回転させられ、被験者Ｐを通る回転軸Ｃの回りに放射線源１０と放射線検出部１１とが一体的に回転させられるとともに、入力された制御信号に基づいて放射線源１０から放射線が射出される。
【００５４】
そして、Ｃアーム１２の所定の回転角度毎に、放射線源１０から射出され被験者Ｐを通った円錐状放射線の放射線画像検出器１１ａへの曝射と放射線画像検出器１１ａに記録された電荷信号の読出しとが行われ、被験者Ｐを互いに異なる角度から撮影した複数の放射線画像信号Ｉｍ（θ１）〜Ｉｍ（θｍ）が順次読み出される（Ｓ３２）。なお、放射線を曝射するタイミングの回転角度は、上述した回転動作ＭＴＦ特性ＭＴＦ_ｍを取得する際の回転角度θ１〜θｍと同じである。
【００５５】
そして、上述したようにした読み出された放射線画像信号Ｉｍ（θ１）〜Ｉｍ（θｍ）は、信号処理部１１ｂのアンプ部において電圧信号に変換され、ＡＤ変換部においてデジタル信号に変換された後、コンピュータ３０のボケ補正部３０ａに出力される。
【００５６】
一方、予め設定入力されたＣアーム１２の回転速度ｖの情報もボケ補正部３０ａによって取得される（Ｓ３４）。また、ボケ補正部３０ａは、上述したようにして取得した回転動作ＭＴＦ特性ＭＴＦ_ｍ（Ｖ１，θ１）〜ＭＴＦ_ｍ（Ｖｎ，θｍ）の逆特性のボケマスクフィルタｆ（Ｖ１，θ１）〜ｆ（Ｖｎ，θｍ）をそれぞれ作成する。
【００５７】
そして、この作成したボケマスクフィルタ群ｆ（Ｖ１，θ１）〜ｆ（Ｖｎ，θｍ）に基づいて、回転速度ｖについてのボケマスクフィルタｆ（ｖ，θ１）〜ｆ（ｖ，θｍ）を生成する（Ｓ３６）。
【００５８】
具体的には、ボケ補正部３０ａは、被験者Ｐの放射線画像を撮影する際に使用された回転速度ｖが、回転速度Ｖ１〜Ｖｎのいずれかの速度と同じである場合には、その同じ回転速度のボケマスクフィルタ群を取得する。たとえば、被験者Ｐの放射線画像を撮影する際に使用された回転速度ｖが、回転速度Ｖ１と同じ速度である場合には、ボケマスクフィルタ群ｆ（Ｖ１，θ１）〜ｆ（Ｖ１，θｍ）を取得する。
【００５９】
また、ボケ補正部３０ａは、被験者Ｐの放射線画像を撮影する際に使用された回転速度ｖが回転速度Ｖ１〜Ｖｎのいずれかの速度とも異なる場合には、まず、回転動作ＭＴＦ特性ＭＴＦ_ｍ（Ｖ１，θ１）〜ＭＴＦ_ｍ（Ｖｎ，θｍ）を用いて、回転速度ｖについての回転動作ＭＴＦ特性ＭＴＦ_ｍ（ｖ，θ１）〜ＭＴＦ_ｍ（ｖ，θｍ）を取得する。具体的には、たとえば、回転角度θ１についての回転動作ＭＴＦ特性ＭＴＦ_ｍ（Ｖ１，θ１）〜ＭＴＦ_ｍ（Ｖｎ，θ１）において、所定の空間周波数ｆ１のＭＴＦ値（ｆ１，Ｖ１，θ１）〜ＭＴＦ値（ｆ１，Ｖｎ，θ１）をそれぞれ取得する。そして、これらのＭＴＦ値を多項式近似することによってＭＴＦ値（ｆ１，ｖ，θ１）を算出する。さらに、全ての空間周波数について、上記と同様にして多項式近似してＭＴＦ値を取得し、これらを集めることによって回転角度θ１についての回転動作ＭＴＦ特性ＭＴＦ_ｍ（ｖ，θ１）を取得する。そして、回転角度θ２〜θｍについても、上記と同様にして、回転動作ＭＴＦ特性ＭＴＦ_ｍ（ｖ，θ２）〜ＭＴＦ_ｍ（ｖ，θｍ）を取得する。
【００６０】
そして、ボケ補正部３０ａは、上述したようにして取得した回転動作ＭＴＦ特性ＭＴＦ_ｍ（ｖ，θ１）〜ＭＴＦ_ｍ（ｖ，θｍ）の逆特性のボケマスクフィルタｆ（ｖ，θ１）〜ｆ（ｖ，θｍ）を作成する。
【００６１】
そして、ボケ補正部３０ａは、入力された回転角度毎の放射線画像信号Ｉｍ（θ１）〜Ｉｍ（θｍ）に対して、それぞれ対応する回転角度のボケマスクフィルタｆ（ｖ，θ１）〜ｆ（ｖ，θｍ）を用いてボケマスクフィルタ処理を施し（Ｓ３８）、ボケ補正済放射線画像信号Ｉｍ’（θ１）〜Ｉｍ’（θｍ）を生成し（Ｓ４０）、これらを再構成部３０ｂに出力する。
【００６２】
再構成部３０ｂは、入力された回転角度毎のボケ補正済放射線画像信号Ｉｍ’（θ１）〜Ｉｍ’（θｍ）を用いて、放射線ＣＴ画像信号を再構成する（Ｓ４２）。
【００６３】
そして、再構成部３０ｂにおいて生成された放射線ＣＴ画像信号は、表示信号生成部３０ｃに出力され、表示信号生成部３０ｃにおいて放射線ＣＴ画像信号に基づいて表示制御信号が生成されてモニタ３１に出力される。そして、モニタ３１は、入力された表示制御信号に基づいて被験者Ｐの放射線ＣＴ画像を表示する。
【００６４】
なお、上記実施形態の放射線ＣＴ画像撮影システムにおいては、エッジ法を用いてＭＴＦ特性を取得するようにしたが、これに限らず、スリット法やチャート法など公知のその他の取得方法を採用するようにしてもよい。
【００６５】
また、上記実施形態の放射線ＣＴ画像撮影システムにおいては、コンピュータ３０内にＭＴＦ特性取得部３０ｄを設け、このＭＴＦ特性取得部３０ｄにおいて各種のＭＴＦ特性を算出するようにしたが、各種のＭＴＦ特性およびそのＭＴＦ特性に基づくボケマスクフィルタ群を予め取得しておき、回転動作ＭＴＦ特性ＭＴＦ_ｍ（Ｖ１，θ１）〜ＭＴＦ_ｍ（Ｖｎ，θｍ）および／またはボケマスクフィルタ群ｆ（Ｖ１，θ１）〜ｆ（Ｖｎ，θｍ）のみをコンピュータ内３０に予め設定しておくようにしてもよい。
【符号の説明】
【００６６】
１     撮影装置
１０   放射線源
１１   放射線検出部
１１ａ 放射線画像検出器
１１ｂ 信号処理部
１２   Ｃアーム
１５   回転駆動部
３０   コンピュータ
３０ａ ボケ補正部
３０ｂ 再構成部
３０ｃ 表示信号生成部
３０ｄ ＭＴＦ特性取得部
３０ｅ 撮影制御部
３１   モニタ
【図１】
2011194010.tif 000003
【図２】
2011194010.tif 000004
【図３】
2011194010.tif 000005
【図４】
2011194010.tif 000006
【図５】
2011194010.tif 000007